(57)【要約】  ユーザが、基部（８）から突出し、ビード（４，４’，４’’）を受けるように構成される複数のピン（６，６’，６’’）を含むビード板（２）上で構造物（例えば、イメージ）（４８）を組み立てることを補助するためのシステム（２０）及び方法である。本システムは照明デバイス（１０）を備え、照明デバイス（１０）は、ピン（６，６’，６’’）を照らし、照明デバイス（１０）によって、いくつかの照明エリア（１２，１２’’）を提供するように構成される。照明デバイス（１０）は、照明デバイス（１０）によって照らされるピン（６，６’，６’’）のサブセットを選択することに適用するように構成される制御ユニット（６４）を備える。【選択図】図１
2021520278.tif 000002
【特許請求の範囲】
【請求項１】
ユーザが、基部（８）上に配置され、組立要素（４，４’，４’’，７，７’，９，９’）を受けるように構成される複数の結合構造（５，５’，５’’，６，６’，６’’）を含む本体構造（２）上で構造物（４８）を組み立てることを補助するためのシステム（２０）であって、
前記本体構造（２）の少なくとも一部に照明を提供する照明器（１０）を備え、前記照明器（１０）によって、いくつかの照明エリア（１２，１２’’）を提供するように構成される、前記システム（２０）は、前記結合構造（５，５’，５’’，６，６’，６’’）のサブセットを選択し、前記結合構造（５，５’，５’’，６，６’，６’’）の選択された前記サブセットの固有の識別を照明（１４）によって確立することを可能にする照明（１４）を開始することに適用するように構成される制御ユニット（６４）を備えることを特徴とする、システム（２０）。
【請求項２】
前記照明器（１０）は、下方から前記本体構造（２）の少なくとも一部に照明を提供するように構成されることを特徴とする、請求項１に記載のシステム（２０）。
【請求項３】
前記本体構造（２）は、前記基部（８）から突出し、ビード（４，４’，４’’）を受けるように構成される複数のピン（６，６’，６’’）を含むビード板（２）であり、前記システムは、前記ピン（６，６’，６’’）、または前記ピン（６，６’，６’’）の選択された前記サブセットの固有の識別を可能にする１つ以上のエリアを照らすように構成される照明デバイス（１０）を備えることを特徴とする、請求項１または２に記載のシステム（２０）。
【請求項４】
前記照明デバイス（１０）は、前記照明デバイス（１０）によって照らされる前記結合構造（５，５’，５’’，６，６’，６’’）の前記サブセットを選択することに適用するように構成される制御ユニット（６４）を備えることを特徴とする、請求項１〜３のいずれか１項に記載のシステム（２０）。
【請求項５】
前記制御ユニット（６４）は、前記照明デバイス（１０）によって照らされる前記結合構造（５，５’，５’’，６，６’，６’’）の前記サブセットを選択するように構成され、それにより、前記照明デバイス（１０）は、イメージ（４６）の全ての色を構成しない第１の色の選別の前記照明エリア（１２，１２’’）を提供することを特徴とする、請求項１〜４のいずれか１項に記載のシステム（２０）。
【請求項６】
前記制御ユニット（６４）は、前記照明デバイス（１０）によって照らされる前記結合構造（５，５’，５’’，６，６’，６’’）の前記サブセットを選択するように構成され、それにより、前記照明デバイス（１０）は、単色の前記照明エリア（１２，１２’’）を提供することを特徴とする、請求項５に記載のシステム（２０）。
【請求項７】
前記制御ユニット（６４）は、前記ユーザが所定の色のグループまたは所定の単色のビード（４，４’，４’’）を挿入することを終了したとき、前記ユーザからフィードバックを受信するように構成され、前記制御ユニット（６４）は、照らされていない前記結合構造（５，５’，５’’，６，６’，６’’）を後で照らすように構成されることを特徴とする、請求項１〜６のいずれか１項に記載のシステム（２０）。
【請求項８】
前記システム（２０）は、相互に着脱可能に取り付けられるように構成される複数のセグメント（２２，２２’，２２’’，２２’’’）を有する本体構造（２）を備えることを特徴とする、請求項１〜７のいずれか１項に記載のシステム（２０）。
【請求項９】
前記セグメント（２２，２２’，２２’’，２２’’’）は、それぞれ、前記セグメント（２２，２２’，２２’’，２２’’’）の前記基部（８）の延長線上に延在する複数の取付構造（１６，１６’，１８，１８’）を含むことを特徴とする、請求項８に記載のシステム（２０）。
【請求項１０】
前記本体構造は、前記組立要素（４，４’，４’’，７，７’，９，９’）がピン（６，６’，６’’）に取り付けられるとき、前記組立要素（４，４’，４’’，７，７’，９，９’）に向かって半径方向に向く力（Ｆ）を提供するように構成される縁部（５２）が設けられたピン（６，６’，６’’）を備えることを特徴とする、請求項１〜９のいずれか１項に記載のシステム（２０）。
【請求項１１】
前記本体構造（２）は位置付けユニット（５８，６０）が設けられ、前記位置付けユニット（５８，６０）は、前記本体構造（２）を前記照明デバイス（１０）に対して固定位置及び固定配向に維持するように構成されることを特徴とする、請求項１〜１０のいずれか１項に記載のシステム（２０）。
【請求項１２】
ユーザが、基部（８）上に配置され、組立要素（４，４’，４’’，７，７’，９’，９’）を受けるように構成される、複数の結合構造（５，５’，６，６’，６’’）を含む本体構造（２）上で構造物（４８）を組み立てることを補助するための方法であって、前記方法は、前記本体構造（２）の少なくとも一部を照らす照明器（１０）を利用し及び／または前記本体構造（２）の少なくとも一部の照明の程度を変更し、前記照明器（１０）によって、いくつかの照明エリア（１２，１２’’）を提供するステップを含み、前記方法は、
前記結合構造（５，５’，５’’，６，６’，６’’）のサブセットを選択するステップと、
前記本体構造（２）の少なくとも一部を照らし、これによって、前記結合構造（５，５’，５’’，６，６’，６’’）の選択された前記サブセットの固有の識別を可能するステップと、
を含むことを特徴とする、方法。
【請求項１３】
前記方法は、前記照明器（１０）によって照らされる前記本体構造（２）の前記少なくとも一部を選択するステップであって、前記照明器（１０）は、イメージ（４６）の全ての色及び／またはサイズ及び／または幾何学形状を構成しない第１の色の選別の前記照明エリア（１２，１２’’）を提供するステップを含むことを特徴とする、請求項１２に記載の方法。
【請求項１４】
前記方法は、前記照明器（１０）によって照らされる前記結合構造（５，５’，６，６’，６’’）の前記サブセットを選択するステップであって、前記照明器（１０）は単色の前記照明エリア（１２，１２’’）を提供するステップを含むことを特徴とする、請求項１３に記載の方法。
【発明の詳細な説明】
【技術分野】
【０００１】
本発明は、ビード板等の本体構造を使用することによって、組み立てを補助するためのシステム及び方法に関する。本発明は、また、改善された本体構造（例えば、ビード板）を含むシステムに関する。
【背景技術】
【０００２】
プレートの組み立ては、子供たちの間でかなり人気がある。数十年間にわたって、子供は、基部からそれぞれ突出する複数のピンを含むビード板（また、ペグボードとして既知である）等の本体構造上でイメージ（構造物）を組み立てている。ピンは、ビードを受けるように構成及び配置されるが、正しい位置におけるビードの位置付けは子供にとって困難である可能性がある。
【０００３】
したがって、基部からそれぞれ突出する複数のピンを含むビード板上でイメージを組み立てるユーザ（一般的に、子供）を補助するシステムが開発されている。例として、ユーザがビード板上でイメージを組み立てることを補助する目的のために、デジタルシステムを利用することは既知である。これは、ビード板をタブレットまたは別の照明デバイスに固定することによって行われる。ビード板が固定されているとき、ユーザがビード板上でイメージを組み立てることを補助する目的のために、ビード板を照らすことができる。
【０００４】
しかしながら、先行技術の補助システムを使用するときにほんのわずかに異なる色を区別するのが困難である。したがって、イメージは、一般的に、相互を区別することを容易にする色が利用される。
【０００５】
したがって、ユーザがより利用し易い補助を可能にし、先行技術の上述の不利点を少なくする、またはさらになくすシステム及び方法が必要である。
【発明の概要】
【発明が解決しようとする課題】
【０００６】
組み立てプロセスを容易にすることを可能にし、相互にほんのわずかに異なる色の組立要素（例えば、ビード、組立構造物、または組立ブリック）を必要とするイメージを組み立てることを可能にするシステムを提供することが目的である。
【課題を解決するための手段】
【０００７】
本発明の目的は、請求項１に定義されるようなシステム及び請求項１２に定義されるような方法によって達成できる。好ましい実施形態は従属項に定義され、以下の記述に説明され、添付図に示される。
【０００８】
本発明に従ったシステムは、ユーザが、基部上に配置され、組立要素を受けるように構成される複数の結合構造を含む本体構造上で構造物を組み立てることを補助するためのシステムであって、本システムは、本体構造の少なくとも一部に照明を提供するように構成される照明器を備え、照明器によって、いくつかの照明エリアを提供し、本システムは、結合構造のサブセットを選択し、結合構造の選択されたサブセットの固有の識別を照明によって確立することを可能にする照明を開始することに適用するように構成される制御ユニットを備える。これによって、組み立てプロセスを容易にすることが可能である。さらに、相互にほんのわずかに異なる色及び／または幾何学形状及び／またはサイズの組立要素（例えば、ビードまたは組立ブロック）を必要とするイメージを組み立てることが可能である。
【０００９】
本システムは、それぞれ基部上に配置され、組立要素を受けるように構成される複数の結合構造（例えば、ピンまたは溝）を含む本体構造（例えば、ビード板）を使用することによってイメージ／構造物を作成するとき、組み立てプロセス中にユーザを補助するように構成される。一実施形態では、本体構造は、基部から突出し、ビードを受けるように構成される複数のピンを含むビード板である。別の実施形態では、本体構造は、基部から突出し、ビードを受けるように構成される複数のピンを含む板または他の本体である。
【００１０】
本システムは、本体構造の少なくとも一部に照明を提供するように構成される照明器を備え、照明器によって、いくつかの照明エリアを提供し、本システムは、結合構造のサブセットを選択し、結合構造の選択されたサブセットの固有の識別を照明によって確立することを可能にする照明を開始することに適用するように構成される制御ユニットを備える。照明器は、本体構造の少なくとも一部に照明を提供するように構成される照明デバイスであり得る。代替として、照明器は、（例えば、反射ディスプレイ／スクリーンを使用するために）外部から提供された光を当てるように構成されるユニットであり得る。
【００１１】
照明器は、結合構造（例えば、ピンまたは溝）に照明を照らし、照明の程度を変更するように構成される照明デバイスであり、照明デバイスによって、いくつかの照明エリアを提供し得る。照明器は、表示ユニットを備えるタブレット、スマートフォン、コンピュータ、または専用電気デバイスであり得る照明デバイスであり得、表示ユニットは、本体構造（例えば、ビード板）上に示される所定位置（複数可）に配置されるビード（複数可）の色を示すために、アクティブな照明エリアを提供するように構成される。
【００１２】
用語「照らす」は、照明を照らす及び／または照明の程度を変更することを意味する。
【００１３】
本体構造は、組立要素を受けるのに適切な複数の結合構造を含む任意の構造であり得る。本体構造は、ビード板、組立ブリック板、または物体を受けるための溝が設けられた板であり得る。結合構造は、ピンとして提供される雄型構造または受容溝として形成された雌型構造であり得る。
【００１４】
照明デバイスは、本体構造（例えば、ビード板）の後側に接触するように構成される表示ユニットを備えることで利点があり得る。照明デバイスは、本体構造を照明デバイスに着脱可能に取り付けるように構成される固定構造を含み得る。
【００１５】
照明デバイスは、照明デバイスによって照らされる結合構造のサブセットを選択することに適用するように構成される制御ユニットを備える。これは、制御ユニットまたは制御ユニットによって制御される処理ユニット上で起動するコンピュータに実装されるプログラムを使用することによって制御され得る。
【００１６】
好ましい実施形態では、本システムは、所定の結合構造上でまたは所定の結合構造内に組立要素を配置するプロセスが達成されるとき、（１色または複数の色のサブセットから）結合構造の照明を自動的にシフトするように構成される。達成することは、本システムのユーザインタフェースを使用することによって、ユーザによって実行され得る。
【００１７】
照明デバイスによって照らされる結合構造のサブセットの選択は、例えば、外部サーバで起動するアプリケーションを使用することによって外部で制御され得、照明デバイスは外部サーバに接続される。
【００１８】
基部は任意の適切な形状を有し得る。一実施形態では、基部は長方形である。一実施形態では、基部は正方形である。一実施形態では、基部は三角形である。
【００１９】
一実施形態では、制御ユニットは、照明デバイスに統合される。
【００２０】
好ましい実施形態では、本システムは、結合構造（例えば、ピンまたは溝）を照らすように構成される照明デバイスを備え、照明デバイスによって、いくつかの照明エリアを提供し、照明デバイスは、照明デバイスによって照らされる結合構造（例えば、ピンまたは溝）のサブセットを選択することに適用するように構成される制御ユニットを備える。
【００２１】
照明器は、下方から本体構造の少なくとも一部に照明を提供するように構成されることで利点があり得る。
【００２２】
制御ユニットは、照明デバイスによって照らされる結合構造（例えば、ピン）のサブセットを選択するように構成され、それにより、照明デバイスは、イメージの全ての色を構成しない第１の選別の色の照明エリアを提供することで利点があり得る。
【００２３】
これによって、相互にほんのわずかに異なる色及び／または幾何学形状及び／またはサイズの組立要素を必要とするイメージを組み立てることを可能にするユーザがより利用し易いシステムを提供することが可能である。
【００２４】
制御ユニットは、照らされているならびに／もしくは照らされていない結合構造（例えば、ピンまたは溝）のサブセットを選択するように構成されることで有益になり得る、及び／または照明デバイスが単色の照明エリアを提供するように照明デバイスによって、照明の程度を変更する必要がある。これは、ほぼ同一な色をイメージで使用できることと、本システムを使用することによって構造物を作成できることとを可能にする。
【００２５】
制御ユニットは、ユーザが所定の色のグループまたは所定の単色の組立要素を挿入することを終了したとき、ユーザからフィードバックを受信するように構成されることで利点をもたらし得、制御ユニットは、照らされていない結合構造を後で照らすように及び／または照らされていない結合構造の照明の程度を変更するように構成される。
【００２６】
これによって、ユーザに連携させることを可能にし、これによって、連続的な照明ステップ（連続色の照明または連続色のサブグループの照明）の間の時間を短縮する。
【００２７】
本システムは、相互に着脱可能に取り付けられるように構成される複数のセグメントを有する本体構造（例えば、ビード板または組立ブロック板または溝を有する板）を備えることで利点があり得る。
【００２８】
本体構造は、相互に着脱可能に取り付けられるように構成される複数のセグメントを有することで利点があり得る。
【００２９】
これによって、大型の本体構造（例えば、ビード板）を形成するようにセグメントに接合することが可能である。
【００３０】
セグメントは、それぞれ、セグメントの基部の延長線上に延在する複数の取付構造を含むことで利点をもたらし得る。これによって、容易な様式で、隣接するセグメントに確実な取り付けを提供することが可能である。
【００３１】
セグメントの取付構造が並んで位置付けられ、隣接する取付構造の間に空間が提供されることで有益になり得る。係る構造物は接合プロセスを容易にし得る。
【００３２】
各取付構造が側面構造を含むことと、傾斜部が取付構造のそれぞれの各側面構造に提供されることとで利点があり得る。これによって、接合プロセス（相互に隣接するセグメントを取り付けるプロセス）を容易にする。
【００３３】
すべての第２の取付構造がセグメントの残りの取付構造よりも高い位置に配置されることで有益になり得る。これによって、セグメントの高い位置に位置付けられる取付構造は、隣接するセグメントの低い位置に位置付けられる対応する取付構造に係合して取り付けられるように構成される。
【００３４】
取付構造のそれぞれが取付構造によって取り付けられる隣接する取付構造に対応する係合部と係合するように構成される係合部を含むことで利点をもたらし得る。これによって、セグメントの取付構造の係合部は、隣接するセグメントの取付構造の係合部と係合する。
【００３５】
取付構造のそれぞれが係合部の隣に提供される平坦部を含むことで利点があり得る。係合部が（ビード板の垂直軸に沿って）ビード板から突出することが好ましくあり得る。これによって、良好な把持は係合する係合部の間で提供できる。
【００３６】
各セグメントが四角形、好ましくは、長方形（例えば、四角形）であることと、４つの取付構造が各セグメントの各側に提供されることとで有益になり得る。
【００３７】
隣接する取付構造の長さが異なることで利点があり得る。
【００３８】
取付構造が等しい長さの２つのグループにグループ化され、最短の取付構造の長さが長い取付構造の長さよりも短くなることで利点をもたらし得る。
【００３９】
これによって、図６Ａ及び図６Ｂに、同様に、図７Ａ及び図７Ｂに示されるように、相互に既に取り付けられているセグメントと係合してセグメントを摺動させることが可能である。
【００４０】
本体構造は縁部が設けられたピンを含むビード板であり、ビードがピンに取り付けられているとき、縁部はビードの（内側部）に向かって半径方向に向く力を提供するように構成されることで利点があり得る。これは、ピンの直径がビードの穴の直径よりも大きいときにいつでも行われることができる。
【００４１】
ピンが基部を含み、縁部が基部の延長線上に延在することで利点をもたらし得る。
【００４２】
基部は、基本的な三角形断面、基本的な長方形断面を有し得る。
【００４３】
本体構造（例えば、ビード板）は位置付けユニットが設けられ、位置付けユニットは、本体構造を照明デバイスに対して固定位置及び固定配向に維持するように構成されることで利点があり得る。
【００４４】
位置付けユニットが本体構造（例えば、ビード板または組立ブリック板）の底端に設けられる滑り止め構造として提供されることで利点をもたらし得る。
【００４５】
位置付けユニットが本体構造（例えば、ビード板）に取り付けられている、または本体構造に取り付けられるように構成されているマットであることで有益になり得、マットは、照明デバイスに対して固定位置及び固定配向にマットひいては本体構造を維持するのに十分に大きい摩擦を提供するように構成される。
【００４６】
位置付けユニットが本体構造（例えば、ビード板または組立ブリック板）に取り付けられている、または照明デバイスに対して固定位置及び固定配向にコーティングひいては本体構造を維持するのに十分に大きい摩擦を提供するように構成されるコーティングであることで利点をもたらし得る。
【００４７】
複数の穴が位置付けユニットに設けられることで有益になり得、穴は、照明デバイスからの光が穴を通って結合構造（例えば、ピンまたは溝）を照らすことができるように配置される。
【００４８】
本発明に従った方法は、ユーザが、基部（８）上に配置され、組立要素を受けるように構成される複数の結合構造を含む本体構造上で構造物を組み立てることを補助するための方法であり、本方法は、本体構造の少なくとも一部を照らす照明器を利用し及び／または本体構造の少なくとも一部の照明の程度を変更し、照明器によって、いくつかの照明エリアを提供するステップを含み、本方法は、
結合構造のサブセットを選択するステップと、
本体構造の少なくとも一部を照らし、これによって、結合構造の選択されたサブセットの固有の識別を可能するステップと、を含む。
【００４９】
これによって、組み立てプロセスを容易にすることが可能である。さらに、相互にほんのわずかに異なる色及び／または幾何学形状及び／またはサイズの組立要素を必要とするイメージを組み立てることが可能である。
【００５０】
本方法は、照明器によって照らされる本体構造の少なくとも一部を選択するステップであって、照明器は、イメージの全ての色及び／またはサイズ及び／または幾何学形状を構成しない第１の選別の色の照明エリアを提供するステップを含むことで利点をもたらし得る。これによって、相互にほんのわずかに異なる色及び／またはサイズ及び／または幾何学形状の組立要素を必要とするイメージを組み立てることを可能にするユーザがより利用し易いシステムを提供することが可能である。
【００５１】
本方法は、照明器によって照らされる結合構造のサブセットを選択するステップであって、照明器は単色の照明エリアを提供するステップを含むことで有益になり得る。これは、ほぼ同一な色をイメージで使用できることと、本システムを使用することによって構造物を作成できることとを可能にする。
【００５２】
本方法は、照明器を利用して、結合構造を照らし及び／または結合構造の照明の程度を変更し、照明器によって、いくつかの照明エリアを提供するステップを含み得、本方法は、照明デバイスによって照らされる結合構造のサブセットを選択する以下のステップを含む。
【発明の効果】
【００５３】
本方法は、照明デバイスによって照らされる結合構造のサブセットを選択するステップであって、照明デバイスは、イメージの全ての色を構成しない第１の選別の色の照明エリアを提供するステップを含むことで利点があり得る。
【００５４】
本方法は、照明デバイスによって照らされる結合構造のサブセットを選択するステップであって、照明デバイスは単色の照明エリアを提供するステップを含むことで利点をもたらし得る。
【００５５】
本発明は、本明細書で下記に与えられる「発明を実施するための形態」からより十分に理解される。添付図は単に例示として与えられ、ひいては、その図は本発明に限定されるわけではない。
【図面の簡単な説明】
【００５６】
【図１】本発明に従ったシステムの斜視上面図を示す。
【図２Ａ】本発明に従ったシステムを示し、第１の所定の色の位置が、ビード板の下方に配置される照明デバイスによってビード板を照らすことによってビード板の複数のピンに示される構成である。
【図２Ｂ】図２Ａに示されるシステムを示し、第１の所定の色のビードがビード板のピンに取り付けられている一方、ビード板が照明デバイスによって照らされている構成である。
【図２Ｃ】図２Ｂに示されるシステムを示し、第２の所定の色の位置が、ビード板の下方に配置される照明デバイスによってビード板を照らすことによってビード板の複数のピンに示される構成である。
【図２Ｄ】図２Ｃに示されるシステムを示し、第２の所定の色のビードがビード板のピンに取り付けられている一方、ビード板が照明デバイスによって照らされている構成である。
【図３Ａ】図２Ｄに示されるシステムを示し、第３の所定の色の位置が、ビード板の下方に配置される照明デバイスによってビード板を照らすことによってビード板の複数のピンに示される構成である。
【図３Ｂ】図３Ａに示されるシステムを示し、第３の所定の色のビードがビード板のピンに取り付けられている一方、ビード板が照明デバイスによって照らされている構成である。
【図３Ｃ】図３Ｂに示されるシステムを示し、ビード板が照明デバイスから取り外されている構成である。
【図４Ａ】本発明に従ったビード板の第１のセグメントを示す。
【図４Ｂ】図４Ａに示されるビード板の第２のセグメントを示す。
【図４Ｃ】図４Ａに示されるセグメントの断面図を示す。
【図４Ｄ】図４Ｂに示されるセグメントの断面図を示す。
【図５Ａ】図４Ａに示されるセグメントの上面図を示す。
【図５Ｂ】図５Ａに示されるセグメントの断面を示す。
【図６Ａ】本発明に従った分割されたビード板の図を示す。
【図６Ｂ】図６Ａに示される分割されたビード板を示し、残りのセグメントが接合セグメントに着脱可能に取り付けられている構成である。
【図７Ａ】本発明に従った分割されたビード板の図を示す。
【図７Ｂ】図７Ａに示される分割されたビード板を示し、残りのセグメントが接合セグメントに着脱可能に取り付けられている構成である。
【図８Ａ】ビード板の平坦構造から突出するピンが設けられる本発明のビード板の区分の斜視上面図を示す。
【図８Ｂ】図８Ａに示されるビード板の区分の斜視図を示し、ビードがピンに取り付けられている構成である。
【図８Ｃ】図８Ｂに示されるビード板の区分の断面図を示す。
【図８Ｄ】図８Ａに示されるビード板の区分の側面図を示す。
【図８Ｅ】図８Ｂに示されるビード板の区分の側面図を示す。
【図８Ｆ】図８Ｃに示されるビード板の区分の側面図を示す。
【図９Ａ】図８Ｆに示されるビード板の区分の上面図を示す。
【図９Ｂ】図９Ａに示されるビード板の斜視底面図を示す。
【図９Ｃ】本発明に従ったビード板の斜視上面図を示す。
【図９Ｄ】図９Ｃに示されるビード板の斜視底面図を示す。
【図１０Ａ】本発明に従ったビード板の区分の上面図を示す。
【図１０Ｂ】図１０Ａに示される区分の斜視図を示す。
【図１１Ａ】本発明に従ったビード板の区分の斜視図を示す。
【図１１Ｂ】本発明に従った別のビード板の区分の斜視図を示す。
【図１１Ｃ】本発明に従った別のビード板の区分の斜視図を示す。
【図１１Ｄ】本発明に従ったビード板の区分の斜視図を示す。
【図１１Ｅ】図１１Ａに示されるビード板の区分の上面図を示す。
【図１１Ｆ】図１１Ｂに示されるビード板の区分の上面図を示す。
【図１１Ｇ】図１１Ｃに示されるビード板の区分の上面図を示す。
【図１１Ｈ】図１１Ｄに示されるビード板の区分の上面図を示す。
【図１２Ａ】本発明に従った（ビード板として形成される）本体構造の区分の斜視図を示す。
【図１２Ｂ】本発明に従った円錐状ピンを有する（ビード板として形成される）本体構造の区分の斜視図を示す。
【図１２Ｃ】本発明に従った、複数の溝が設けられた本体構造の区分の斜視図を示す。
【図１２Ｄ】本発明に従った（対応する受容構造を有する組立ブロックを受けるように適合される受容ピンを有する板として形成される）本体構造の区分の斜視図を示す。
【図１３Ａ】本発明に従ったシステムの斜視上面図を示す。
【図１３Ｂ】本発明に従った別のシステムの斜視上面図を示す。
【図１４Ａ】本発明に従った分解構成の２つの要素から成るシステムの斜視上面図を示す。
【図１４Ｂ】組立構成の図１４Ａに示されるシステムの斜視上面図を示す。
【図１５Ａ】本発明に従った、（対応する受容構造を有する組立ブロックを受けるように適合される受容ピンを有する板として形成される）本体構造の区分の上面図を示し、２つのピンが下方から照らされている構成である。
【図１５Ｂ】図１５Ａに示される本体構造の区分を示し、他の３つのピンが下方から照らされている構成である。
【図１５Ｃ】図１５Ｂに示される本体構造の区分を示し、２つのピンが下方から照らされ、照明が本体構造に取り付けられた組立ブリックを通過する構成である。
【図１５Ｄ】図１５Ｃに示される本体構造の区分を示し、単一のピンが下方から照らされ、照明が本体構造に取り付けられた２つの組立ブリック層を通過する構成である。
【図１６Ａ】照らされているピンが設けられた本体構造の区分を示す。
【図１６Ｂ】ピンの中心部が照らされている、ピンが設けられた本体構造の区分を示す。
【図１６Ｃ】ピンの周りのエリアが照らされている、ピンが設けられた本体構造の区分を示す。
【図１６Ｄ】ピンを囲むリングが照らされている、ピンが設けられた本体構造の区分を示す。
【図１６Ｅ】ビードを受けるピンの位置を示すように適合されるインジケータが設けられた本体構造の区分を示す。
【発明を実施するための形態】
【００５７】
ここで、本発明の好ましい実施形態を示す目的のために詳細に図面を参照して、本発明のシステム２０は図１に示される。システム２０は、図３Ａ、図３Ｂ、及び図３Ｃに示されるハート等の所定のイメージを組み立てるために、ビード板２として形成される本体構造上のビード４として形成される組立要素の位置を示すように構成されるシステムである。
【００５８】
システム２０は、いくつかのアクティブな照明エリア１２，１２’’が設けられた表示部を有する（または表示部が設けられる構成の状態になるように構成される）照明デバイス１０を備え、アクティブな照明エリア１２，１２’のそれぞれは、光を放射し、ひいては、照明１４を提供する。簡略化するために、照明１４が１つだけ示されるが、実際に、全てのアクティブな照明エリア１２，１２’’は光を放射し、ひいては、照明１４を提供する。照明エリア１２，１２’’は、照明デバイス１０を使用することによってアクティブにできる。好ましい実施形態では、照明デバイス１０は制御ユニット６４を備え、制御ユニット６４は、第１の色（例えば、赤）または第１の色の選別（例えば、黄及び青）の照明エリア１２，１２’’を提供する場所を選択するように構成される。好ましい実施形態では、照明デバイス１０は、インタフェースを備え、インタフェースによって、命令を読み取ること及び／またはメニューに設けられたオプションを選択すること、または値、命令、もしくはテキストに入力することが可能である。
【００５９】
一実施形態では、照明デバイス１０は所定の色の照明１４を提供するように構成され、所定の色は、照明デバイス１０の上方に配置されるビード板２上に示される位置（複数可）に配置されるビード（複数可）の色に一致するのが好ましい。
【００６０】
別の実施形態では、照明デバイス１０は、白色光（電磁スペクトルの異なる波長の光の組み合わせ）の照明１４を提供するように構成される。本実施形態では、照明デバイス１０は、他の手段（例えば、「照らされたピンに青いビードを置いてください」等のテキストまたはサウンド）によって、照明デバイス１０の上方に配置されるビード板２上に示される位置（複数可）に配置されるビード（複数可）の色を示すように構成される。
【００６１】
ユーザは、照明デバイス１０のローカルストレージ４６等の内部ソースから、照明デバイス１０とサーバ４０との間の通信３９，３９’を含むようなサーバ４０等の外部ソースから、または照明デバイス１０とインターネット４２との間で通信３８，３８’を含むようなインターネット４２からイメージをダウンロードし得る。それに加えて、通信３８は、サーバ４０とインターネット４２との間で実行され得る。
【００６２】
照明デバイス１０は、表示ユニットを備えるタブレット、スマートフォン、コンピュータ、または専用電気デバイスであり得、表示ユニットは、照明デバイス１０の上方に配置されるビード板２に示される所定位置（複数可）に配置されるビード（複数可）の色を示すために、アクティブな照明エリア１２，１２’’を提供するように構成される。
【００６３】
図１では、透明なビード板２は照明デバイス１０の上方に配置される。ビード板２は、固定様式及び所定様式で、照明デバイス１０の表示ユニット（上部）上に配置されることが意図され、これにより、アクティブな照明エリア１２，１２’’の位置は、照明デバイス１０の上方に配置されるビード板２に示される所定位置（複数可）に配置されるビード（複数可）の色を示すために使用できる。したがって、ビード板２のピン６の位置と、ビード板２が照明デバイス１０に取り付けられる位置／照明デバイス１０上に配置される位置とを把握することが必要である。好ましい実施形態では、照明デバイス１０は、指示構造４４を含み、指示構造４４は、ビード板２が照明デバイス１０に取り付けられる必要がある位置／照明デバイス１０上に配置される必要がある位置を示す。
【００６４】
ビード板２は平坦構造８を含み、平坦構造８から、複数のピン６が突出する。ピン６はビードを受けるように構成される（図２Ｂ参照）。
【００６５】
図２Ａは本発明に従ったシステム２０を示し、第１の所定の色の位置（赤いビードが照明デバイス１０上に配置されるビード板２として形成される本体構造上に取り付けられる必要があるピン６）が、ビード板２の下方に配置される照明デバイス１０によりビード板２を照らすことによって、ビード板２のピン６として形成される複数の結合要素上に示される構成である。
【００６６】
ビード板２は、透明な平面板として形成される平坦構造８を含む。複数のピン６は平坦構造８から突出する。ピン６の縦軸は平坦構造８が延在する平面に垂直に延在する。
【００６７】
システム２０は単色が照明デバイス１０によって示されることを可能にし、本システムは、イメージを構成するとき、ほんのわずかに異なる色を使用できることを可能にする。このアプローチは、全ての色が１回で示される場合、可能ではない。したがって、主な利点は、システム２０及び本発明に従った方法は、照明デバイス１０によって示される色のサブセットの選択を可能にする。この色のサブセットは、単色（例えば、青色、赤色、緑色、または別の所定の色）であり得る。色のサブセットは、いくつかの色（例えば、赤及び青、緑及び紫、または、オレンジ、ピンク及び緑）を含み得る。
【００６８】
図２Ｂは図２Ａに示されるシステム２０を示し、第１の所定の色のビード４として形成される組立要素がビード板２のピンに取り付けられている一方、ビード板２が照明デバイス１０によって照らされている構成である。
【００６９】
図２Ｃは図２Ｂに示されるシステム２０を示し、第２の所定の色の位置が、ビード板２のピン６’，６’’（図２Ａに示されない）として形成される複数の結合要素に示される構成である。この指示は、ビード板２の下方に配置される照明デバイス１０によってビード板２を照らすことによって行われる。好ましい実施形態では、ビード板２は位置付けユニットが設けられ、位置付けユニット（図示しない）は、ビード板２を照明デバイス１０に対して固定位置及び固定配向に維持するように構成される。位置付けユニットは、ビード板２の底端に設けられる滑り止め構造として提供され得る。滑り止め構造は、照明デバイス１０に対して固定位置及び固定配向にマットひいてはビード板２を維持するのに十分に大きい摩擦を提供するマットとして提供され得る。
【００７０】
照明デバイス１０によって単色だけを示す代わりに、ビード板２を使用することによって構成されるイメージの色のサブセットを定義する色のグループを示すことが可能である。これは、例えば、照明デバイス１０によってビード板２の複数のピン６’を照らすことによって行われ得る。
【００７１】
図２Ｄは図２Ｃに示されるシステム２０を示し、第２の所定の色のビード４’として形成される組立要素がビード板２のピンに取り付けられている一方、ビード板２が照明デバイス１０によって照らされている構成である。
【００７２】
図３Ａは図２Ｄに示されるシステム２０を示し、第３の所定の色の位置が、ビード板２が配置される照明デバイス１０によってピン６’を照らすことによってビード板２として形成される本体構造のピン６’’として形成される複数の結合構造に示される構成である。図２Ｄを参照して説明するように、第１の色のビード４及び第２の色のビード４’が、それらが配置される位置に維持されていることが分かり得る。
【００７３】
図３Ｂは図３Ａに示されるシステム２０を示し、第３の所定の色のビード４’’がビード板２の残りのピン（図３Ａの参照番号６’’で示される）に取り付けられている一方、ビード板２が照明デバイス１０によって照らされている構成である。
【００７４】
図３Ｃは図３Ｂに示されるシステム２０を示し、ビード板２が照明デバイス１０から取り外されている構成である。ビード板２に配置されるビード４，４’，４’’は、ハートの構造物（例えば、イメージ）４８を構成する。ここで、ビード４，４’，４’’は、ビード４，４’，４’’を接合するために、例えば、平鉄によって加熱され得る。平底鉄を使用することで利点があり得る。
【００７５】
照明デバイス１０が、それぞれ光を放射す複数のアクティブな照明エリア１２’’を有し、ひいては、ユーザがピン（図３Ａに示される６’’）にビード４’’を位置付けることを補助する照明を提供することが分かり得る。
【００７６】
図４Ａは本発明に従ったビード板２の第１のセグメント２２を示し、図４Ｂは図４Ａに示されるビード板２の第２のセグメント２２を示す。第１のセグメント２２は第２のセグメント２２’に取り付けられるように構成される。図４Ｃは図４Ａに示されるセグメント２２の断面図を示し、図４Ｄは図４Ｂに示されるセグメント２２’の断面図を示す。
【００７７】
第１のセグメント２２及び第２のセグメント２２’は、それぞれ、ピン（簡略化の理由のために図示しない）が設けられた平坦構造を含む。セグメント２２，２２’は、第１の辺長Ｌ３及び第２の辺長Ｌ４を伴う長方形の本体部を有する。一実施形態では、第１の辺長Ｌ３は第２の辺長Ｌ４に一致する。
【００７８】
別の実施形態では、第１の辺長Ｌ３は第２の辺長Ｌ４と異なる。
【００７９】
第１のセグメント２２は、第１のセグメント２２の長方形の本体部の延長線上に延在する取付構造１６，１６’が設けられる。取付構造１６，１６’が並んで位置付けられ、隣接する取付構造１６，１６’の間に空間が提供される。傾斜部２８，２８’が取付構造１６，１６’のそれぞれの各側面構造に提供される。
【００８０】
図４Ｃでは、すべての第２の取付構造１６が残りの取付構造１６’よりも高い位置に配置されることが分かり得る。同様に、図４Ｄでは、すべての第２の取付構造１８が残りの取付構造１８’よりも高い位置に配置されることが分かり得る。取付構造１６，１６’，１８，１８’のそれぞれは、取付構造１６，１６’，１８，１８’によって取り付けられる隣接するセグメント２２，２２’の取付構造１６，１６’，１８，１８’の対応する係合部３２，３２’と係合するように構成される係合部３２，３２’を含む。
【００８１】
取付構造１６，１６’，１８，１８’のそれぞれは、係合部３２，３２’の隣に提供される平坦部３４，３４’を含む。図４Ｃに示されるセグメント２２の（高い位置に位置付けられる）取付構造１６は、セグメント２２’の（低い位置に位置付けられる）対応する取付構造１８’に係合して取り付けられるように構成される。したがって、セグメント２２の取付構造１６の係合部３２は、セグメント２２’の取付構造１８’の係合部３２’と係合する。
【００８２】
短い取付構造１６’，１８’の長さＬ１は長い取付構造１６，１８の長さＬ２よりも短い。これによって、図６Ａ及び図６Ｂに、同様に、図７Ａ及び図７Ｂに示されるように、相互に既に取り付けられているセグメント２２，２２’，２２’’と係合してセグメント２２’’’を摺動させることが可能である。
【００８３】
図５Ａは図４Ａ及び図４Ｂに示されるセグメント２２，２２’の上面図を示し、ビード板２のセグメント２２，２２’は（相互に着脱可能に取り付けられるように）ジョイントでつながれる構成である。図５Ｂは、図５Ａに示されるセグメント２２，２２’の断面を示す。第２のセグメント２２’の縦軸Ｘ、横軸Ｙ、及び垂直軸Ｚは、図５Ａに示される。
【００８４】
第１のセグメント２２の取付構造１６の係合部３２は、第２のセグメント２２’の取付構造１８’の対応する係合部３２’とロックしながら係合する状態になる。第２のセグメント２２’の縦軸Ｘ、横軸Ｙ、及び垂直軸Ｚは、図５Ｂに示される。ビード板２の第１のセグメント２２の取付構造１６が、取付構造１６を第２のセグメント２２’の垂直軸Ｚに沿って移動させることによって、ビード板２の第２のセグメント２２’の取付構造１８’との係合から解放される状態になり得ることが分かり得る。
【００８５】
図６Ａは、本発明に従った分割されたビード板２の図を示す。ビード板２は、図４Ａ、図４Ｂ、図４Ｃ、図４Ｄ、図５Ａ、及び図５Ｂに示されるセグメントとして成形された４つのセグメント２２，２２’，２２’’，２２’’’を含む。好ましい実施形態では、セグメント２２，２２’，２２’’，２２’’’は、セグメント２２，２２’，２２’’，２２’’’を製造するためのツールの数を減らすために等しく成形される。セグメント２２，２２’，２２’’は、既に、（相互に着脱可能に取り付けられるように）ジョイントでつながれる一方、残りのセグメント２２’’’はすぐにセグメント２２，２２’’に取り付けできる。
【００８６】
図６Ｂでは、セグメント２２’’’は、セグメント２２，２２’’に着脱可能に取り付けられている。したがって、ビード板２は組み立てられ、相互に取り付けられる４つのセグメント２２，２２’，２２’’，２２’’’を含む。開口３６がビード板２の中心部に提供され、その位置において、４つのセグメント２２，２２’，２２’’，２２’’’の全てが相互に取り付けられることが分かり得る。
【００８７】
図７Ａは、本発明に従った分割されたビード板２の図を示す。ビード板２は、図６Ａに示されるセグメントに対応するセグメントとして成形された４つのセグメント２２，２２’，２２’’，２２’’’を含む。セグメント２２，２２’，２２’’は、既に、（相互に着脱可能に取り付けられるように）ジョイントでつながれる一方、残りのセグメント２２’’’はすぐにセグメント２２，２２’’に取り付けできる。図５Ａ及び図５Ｂを参照して説明するように、セグメント２２’’は取付構造１６，１６’を備え、セグメント２２’’’は、セグメント２２’’の取付構造１６，１６’に着脱可能に取り付けられように構成される対応する取付構造１８，１８’を含む。
【００８８】
図７Ｂでは、セグメント２２’’’は、セグメント２２，２２’’に着脱可能に取り付けられている。したがって、ビード板２は組立構成であり、４つのセグメント２２，２２’，２２’’，２２’’’は相互に取り付けられる。
【００８９】
図８Ａは、ビード板の平坦構造８から突出するピン６が設けられる本発明のビード板の区分の斜視上面図を示す。中央に配置される穴２４が設けられたビード４はピン６の上方に配置される。穴２４の直径Ｄ１はピン６の直径Ｄ２よりも小さい。ピン６は、基本的な三角形断面を有する基部５０と、基部５０の延長線上に延在する３つの縁部５２とを含む。縁部５２は、ビード４に取り付けられるとき、ビード４に向かって半径方向に向く力Ｆ（図８Ｃ参照）を提供するように構成され、これは、ピン６の直径Ｄ２が穴２４の直径Ｄ１よりも大きいためである。ピン６は上部５４を含む。
【００９０】
図８Ｂは、図８Ａに示されるビード板２の区分の斜視図を示し、ビード４がピン６に取り付けられている構成である。
【００９１】
図８Ｃは、図８Ｂに示されるビード板の区分の断面図を示す。ピン６の縁部がビード４の内側構造に半径方向に向く力Ｆを提供することが分かり得る。したがって、ビード４は拡張部５６を形成するように半径方向に変形する。
【００９２】
図８Ｄは、図８Ａに示されるビード板の区分の側面図を示す。図８Ｅは図８Ｂに示されるビード板の区分の側面図を示し、図８Ｆは図８Ｃに示されるビード板の区分の側面図を示す。図８Ｆは、図８Ｆに示されるビード板の区分の上面図を示す。好ましい実施形態では、ビード４は、穴２４の内径Ｄ１がピン６の直径Ｄ２よりも小さくなるように選択される。
【００９３】
図９Ａは、本発明に従ったビード板２の斜視上面図を示す。ビード板２は複数のピン６が設けられた平坦構造８を含み、複数のピン６は平坦構造８から突出する。ピン６は図８Ａに示されるピンとして成形される。
【００９４】
図９Ｂは、図９Ａに示されるビード板２の斜視底面図を示す。平坦構造の後側にコーティング５８が設けられることが分かり得る。このコーティング５８は、任意の適切な高摩擦コーティング材料（例えば、ゴム材料）で作られるのが好ましい。コーティング５８は、例えば、アクリロニトリルブタジエンゴムのポリクロロプレン（ネオプレン）等のシリコーンゴムまたは合成ゴムであり得る。複数の穴６２はコーティング５８に設けられる。これらの穴６２は、照明デバイス（図１参照）からの光が穴６２を通ってピン６（図９Ａに示される）を照らすことができるように配置される。
【００９５】
図９Ｃは、本発明に従ったビード板２の斜視上面図を示す。ビード板２は、平坦構造８と、平坦構造８から突出する複数のピン６とを含む。ピン６は図８Ａに示されるピンとして成形される。
【００９６】
図９Ｄは、図９Ｃに示されるビード板２の斜視底面図を示す。平坦構造の後側にマット６０が設けられていることが分かり得る。マット６０は、任意の適切な高摩擦コーティング材料（例えば、ゴム材料）で作られるのが好ましい。マット６０は、アクリロニトリルブタジエンゴムのポリクロロプレン（ネオプレン）等のシリコーンゴムまたは合成ゴムから作られ得る。複数の穴６２’はマット６０に設けられる。これらの穴６２’は、照明デバイス（図１参照）からの光が穴６２’を通ってピン６（図９Ｃに示される）を照らすことが可能であるように位置付けられる。
【００９７】
図１０Ａは、本発明に従ったビード板２の区分の上面図を示す。図１０Ｂは、図１０Ａに示される区分の斜視図を示す。ビード板２は複数のピン６が設けられた平坦構造８を含む。ビード４は選択されたピンに取り付けられる。ピン６は図８Ａに示されるピンのように成形される。
【００９８】
図１１Ａは、本発明に従ったビード板２の区分の斜視図を示す。図１１Ｅは、図１１Ａに示されるビード板２の区分の上面図を示す。ビード板２はピン６が設けられた平坦構造８を含み、ピン６は、基本的に長方形の基部５０と、基部５０の延長線上に延在する縁部５２とを有する。ピン６は長方形の上部５４を含む。
【００９９】
図１１Ｂは、本発明に従った別のビード板２の区分の斜視図を示す。図１１Ｆは、図１１Ｂに示されるビード板２の区分の上面図を示す。ビード板２はピン６が設けられた平坦構造８を含み、ピン６は、基本的な三角形の基部５０と、基部５０の延長線上に延在する縁部５２とを有する。ピン６は三角形の上部５４を含む。
【０１００】
図１１Ｃは、本発明に従った別のビード板２の区分の斜視図を示す。図１１Ｇは、図１１Ｃに示されるビード板２の区分の上面図を示す。ビード板２はピン６が設けられた平坦構造８を含み、ピン６は、基本的な正方形の基部５０と、基部５０の延長線上に延在する縁部５２とを有する。ピン６は正方形の上部５４を含む。
【０１０１】
図１１Ｄは、本発明に従った別のビード板２の区分の斜視図を示す。図１１Ｈは、図１１Ｄに示されるビード板２の区分の上面図を示す。ビード板２は基部５０を有するピン６が設けられた平坦構造８を含み、基部５０は、角のそれぞれに円が設けられた四角形に基本的に一致する断面と、基部５０の延長線上に延在する縁部５２とを有する。ピン６は四角形の上部５４を含む。
【０１０２】
図１２Ａは、本発明に従った本体構造２の区分の斜視図を示す。本体構造２は、上側平坦構造８を有する平面板部材を備えるビード板２として形成される。本体構造２は、平坦構造８から突出する複数のピン６を含む。ピン６は平坦構造８上で均等に分配される。ピン６は図１１Ｂに示されるピンに一致する幾何学形状を有する。しかしながら、異なる幾何学形状のピンを使用することが可能である。２つのビード４’は、既に、ビード板２のピン６に取り付けられている。１つの追加ビード４がビード板２の上方に配置され、ビード４がピン６のどれに取り付ける予定であるかを光ベース信号が示すとき、残りのピン６の１つに取り付けできる。
【０１０３】
図１２Ｂは、本体構造２の平坦構造８から突出する円錐ピン６が設けられる本発明に従った本体構造２の区分の斜視図を示す。ピン６は平坦構造８上で均等に分配される。貫通孔が設けられたビード４’として形成される２つの円柱状物体は、既に、本体構造２のピン６に取り付けられている。貫通孔を有する１つの追加ビード４が本体構造２の上方に配置され、ビード４がピン６のどれに取り付ける予定であるかを光ベース信号が示すとき、残りのピン６の１つに取り付けできる。
【０１０４】
図１２Ｃは、本発明に従った、複数の溝５，５’が設けられた基本的な板状の本体構造２の区分の斜視図を示す。溝５，５’は半球状を有し、本体構造２の平坦構造８上で均等に分配される。溝５，５’は、実質的に球状幾何学形状を有する組立構造物７，７’を受けるように構成される。２つのボール状の組立構造物７’は、既に位置付けられ、これによって、本体構造２の溝５，５’が受ける。１つの追加ボール状組立構造物７は、本体構造２の上方に配置され、ボール状組立構造物７が溝５，５’のどれに配置される予定であるかを光ベース信号が示すとき、残りの溝５，５’の１つに入れることができる。
【０１０５】
図１２Ｄは、本発明に従った本体構造２の区分の斜視図を示す。本体構造２は、対応する受容構造（図示しない）を有する組立ブロック９，９’を受けるように適合される受容ピンを有する板として形成される。ピン６は、本体構造２の平坦構造８から突出する。２つの組立ブロック９’は、本体構造２の受容ピン６に取り付けられている。１つの追加組立ブロック９は本体構造２の上方に配置され、すぐに本体構造２に取り付けできる。本発明は、光ベース信号を使用して、組立ブロック９を取り付ける場所を示すことを可能にする。これによって、複雑な構造物を組み立てるユーザを補助できる。組立ブロック９，９’は透明であり得、ひいては、本発明を使用することによって、いくつかの層（より多くの組立ブロック９’が相互に上面に置かれたもの）を構成することが可能である。
【０１０６】
図１３Ａは、本発明に従ったシステム２０の斜視上面図を示す。システム２０は、平坦構造８と、平坦構造８から突出する複数のピン６とを有する、本体構造２を含む。システム２０は、（ピン６の下方に配置され得る）いくつかのアクティブな照明エリアが設けられた表示部を有する（または表示部が設けられる構成の状態になるように構成される）内蔵式（統合式）照明デバイスを備え、照明デバイスによって、照明エリアによって放射される光１４の量を増加させるまたは減少させるのいずれかによって、照明エリアはアクティブ及び非アクティブになるように構成される。したがって、システム２０は照明１４の程度を変更できる。簡略化するために、照明１４が１つだけ示されるが、実際に、全てのアクティブな照明エリアは光を放射し、ひいては、照明１４を提供するように構成される。
【０１０７】
ビードまたは別の組立構造物のどれがピン６に取り付けられる予定であるかの指示は、照明１４を提供する、照明１４を明るくする、照明１４を暗くする、または（例えば、残りのピンがまだ照らされている場合）照明１４を消すことによって示すことができる。
【０１０８】
照明デバイス（図示しない）が所定の色の照明１４を提供するように構成されることを可能にし、所定の色は、本体構造２に示される位置（複数可）に配置されるビード（複数可）または他の組立構造物の色に一致するのが好ましい。照明デバイスは、白色光（電磁スペクトルの異なる波長の光の組み合わせ）の照明１４を提供するように構成され得る。本実施形態では、照明デバイスは、他の手段（例えば、「照らされたピンに青いビードを置いてください」等のテキストまたはサウンド）によって、本体構造２に示される位置（複数可）に配置されるビード（複数可）または他の組立構造物の色を示すように構成され得る。本体構造２は、図１を参照して説明するものと同じ様式で使用され得るストレージ４６及び制御ユニット６４が設けられている。
【０１０９】
図１３Ｂは、本発明に従った別のシステム２０の斜視上面図を示す。システム２０は、基本的に、図１３Ａに示されるシステム２０に一致する。しかしながら、図１３Ａのシステム２０は２つの別個の構成要素、すなわち、
１）平坦構造８と、平坦構造８から突出する複数のピン６と、内蔵式照明デバイスとを有する、本体構造２であって、内蔵式照明デバイスは、（ピン６の下方に配置され得る）いくつかのアクティブな照明エリアが設けられた表示部を有し、内蔵式照明デバイスによって、照明エリアによって放射される光１４の量を増加させるまたは減少させるのいずれかによって、照明エリアはアクティブ及び非アクティブになるように構成される、本体構造２と、
２）ストレージ４６及び制御ユニット６４を備える制御構造６６と、を含む。制御構造６６は、本体構造２の通信モジュール（図示しない）と無線で通信するように構成される。したがって、無線信号３８は制御構造６６によって本体構造２に送信されることができ、制御構造６６は本体構造２の通信モジュールによって送信される無線信号３８を受信できる。
【０１１０】
図１４Ａは、本発明に従った分解構成の２つの要素から成るシステム２０の斜視上面図を示す。図１４Ｂは、組立構成の図１４Ａに示されるシステム２０の斜視上面図を示す。
【０１１１】
システム２０は、基本的に、図１３Ｂに示されるシステムに一致する。しかしながら、図１４Ａのシステム２０は、ソケット構造６８が設けられた本体構造２を含む一方、制御構造６６は、プラグ７０をソケット構造６６に挿入することによって、制御構造６６を本体構造２に電気的に接続するように構成されるプラグ７０を備える。したがって、本体構造２と制御構造６６との間の通信は、プラグ７０によって有線接続を使用することによって行われる。
【０１１２】
図１５Ａは、本発明に従った、（対応する受容構造を有する組立ブロックを受けるように適合される受容ピン６，６’を有する板として形成される）本体構造２の区分の上面図を示し、２つのピン６，６’が下方から照らされている構成である。したがって、照明１４はピン６，６’によって可視であり、ユーザは、組立ブリックが照らされているピン６，６’に取り付けられる必要があることを知らせる。
【０１１３】
図１５Ｂは、図１５Ａに示される本体構造２の区分を示し、他の３つのピン６，６’が下方から照らされている構成である。第１の組立ブリック９’は図１５Ａに照らされているピンに取り付けられている。別の組立ブリック９は本体構造２の上方に配置される。この他の組立ブリックは、照らされている３つのピン６，６’に取り付けられる。
【０１１４】
図１５Ｃは、図１５Ｂに示される本体構造２の区分を示し、２つのピンが下方から照らされ、照明が本体構造２に取り付けられた組立ブリック９を通過する構成である。組立ブリック９は図１５Ｂに照らされているピンに取り付けられている。追加の組立ブリック９’’は本体構造２の上方に配置され、すぐに、組立ブリック９の照らされている２つのピンに取り付けできる。これは、透明または半透明の組立ブロック９を使用することによって達成できる。
【０１１５】
図１５Ｄは図１５Ｃに示される本体構造２の区分を示し、単一のピンが下方から照らされ、照明が２つの組立ブリック９，９’’を通過する構成である。追加の組立ブリック９’’’は本体構造２の上方に配置され、すぐに、一番上の組立ブリック９’’の照らされているピンに取り付けできる。
【０１１６】
図１６Ａは、照らされているピン６が設けられた本体構造２の区分を示す。本体構造２は、ビード板２の平坦構造から突出するピン６が設けられたビード板２である。ビード４は、ビード板２の照明１４の上方に配置される。ピン６の全体が照らされる。
【０１１７】
図１６Ｂは、ピンの中心部が照らされている、ピン６が設けられた本体構造２の区分を示す。照明１４は、ピン６の選択されたサブセットの固有の識別を可能にするのに十分である。
【０１１８】
図１６Ｃは、ピン６の周りのエリアが照らされている、ピン６が設けられた本体構造２の区分を示す。したがって、大きく鮮明な照明１４を提供する。したがって、ビード板２の上方に配置されるビード４を受ける必要があるピン６を識別することが可能である。
【０１１９】
図１６Ｄは、ピン６を囲むリングが照らされている、ピン６が設けられた本体構造２の区分を示す。照明１４は、ピン６の選択されたサブセットの固有の識別を可能にし、ひいては、ビード板２の上方に配置されるビード４を受ける必要があるピン６を識別するのに十分である。
【０１２０】
図１６Ｅは、ビード板２の上方に配置されるビード４を受けるピン６の位置を示すように適合されるインジケータ１５，１５’が設けられた本体構造２の区分を示す。
【符号の説明】
【０１２１】
２  ビード板
４，４’，４’’  ビード
５，５’  溝
６，６’，６’’  ピン
７，７’  組立構造
８  平坦構造
９，９’，９’’，９’’’  組立ブリック
１０  照明デバイス
１２，１２’’  照明エリア
１４  照明
１５，１５’  インジケータ
１６，１６’  取付構造
１８，１８’  取付構造
２０  システム
２２，２２’，２２’’，２２’’’  セグメント
２４  穴
２５  切り欠き
２６，２６’  傾斜部
２８，２８’  傾斜部
３２，３２’  係合部
３４，３４’  平坦部
３６  開口
３７，３８，３８’，３９，３９’  通信部
４０  外部サーバ
４２  インターネット
４４  表示構造
４６  ストレージ
４８  構造物
５０  基部
５２  縁部
５４  上部
５６，５６’  拡大部
５８  コーティング
６０  マット
６２，６２’  穴
６４  制御ユニット
６６  制御構造
６８  ソケット構造
７０  プラグ
Ｌ１，Ｌ２，Ｌ３，Ｌ４  長さ
Ｘ，Ｙ，Ｚ  軸
Ｆ  力
Ｄ１，Ｄ２  直径
【図１】
2021520278.tif 000003
【図２Ａ】
2021520278.tif 000004
【図２Ｂ】
2021520278.tif 000005
【図２Ｃ】
2021520278.tif 000006
【図２Ｄ】
2021520278.tif 000007
【図３Ａ】
2021520278.tif 000008
【図３Ｂ】
2021520278.tif 000009
【図３Ｃ】
2021520278.tif 000010
【図４Ａ】
2021520278.tif 000011
【図４Ｂ】
2021520278.tif 000012
【図４Ｃ】
2021520278.tif 000013
【図４Ｄ】
2021520278.tif 000014
【図５Ａ】
2021520278.tif 000015
【図５Ｂ】
2021520278.tif 000016
【図６Ａ】
2021520278.tif 000017
【図６Ｂ】
2021520278.tif 000018
【図７Ａ】
2021520278.tif 000019
【図７Ｂ】
2021520278.tif 000020
【図８Ａ】
2021520278.tif 000021
【図８Ｂ】
2021520278.tif 000022
【図８Ｃ】
2021520278.tif 000023
【図８Ｄ】
2021520278.tif 000024
【図８Ｅ】
2021520278.tif 000025
【図８Ｆ】
2021520278.tif 000026
【図８Ｇ】
2021520278.tif 000027
【図９Ａ】
2021520278.tif 000028
【図９Ｂ】
2021520278.tif 000029
【図９Ｃ】
2021520278.tif 000030
【図９Ｄ】
2021520278.tif 000031
【図１０Ａ】
2021520278.tif 000032
【図１０Ｂ】
2021520278.tif 000033
【図１１Ａ】
2021520278.tif 000034
【図１１Ｂ】
2021520278.tif 000035
【図１１Ｃ】
2021520278.tif 000036
【図１１Ｄ】
2021520278.tif 000037
【図１１Ｅ】
2021520278.tif 000038
【図１１Ｆ】
2021520278.tif 000039
【図１１Ｇ】
2021520278.tif 000040
【図１１Ｈ】
2021520278.tif 000041
【図１２Ａ】
2021520278.tif 000042
【図１２Ｂ】
2021520278.tif 000043
【図１２Ｃ】
2021520278.tif 000044
【図１２Ｄ】
2021520278.tif 000045
【図１３Ａ】
2021520278.tif 000046
【図１３Ｂ】
2021520278.tif 000047
【図１４Ａ】
2021520278.tif 000048
【図１４Ｂ】
2021520278.tif 000049
【図１５Ａ】
2021520278.tif 000050
【図１５Ｂ】
2021520278.tif 000051
【図１５Ｃ】
2021520278.tif 000052
【図１５Ｄ】
2021520278.tif 000053
【図１６Ａ】
2021520278.tif 000054
【図１６Ｂ】
2021520278.tif 000055
【図１６Ｃ】
2021520278.tif 000056
【図１６Ｄ】
2021520278.tif 000057
【図１６Ｅ】
2021520278.tif 000058
【国際調査報告】
2021520278.tif 000059
2021520278.tif 000060